(57)【要約】【課題】全体を均一に発光させ、長尺状であっても製造及び設置場所への取り付けが容易なショーケース用の照明装置を提供する。【解決手段】照明装置は、ショーケース１０に固定されるフレーム８０と、該フレーム８０に対してスライド式に着脱する照明ユニット３０により構成される。照明ユニット３０の導電性の基板３２の一方の主面には複数のＬＥＤが配置され、ＬＥＤの一方の端子は、電極パターンなどを介して基板３２に接続される。ＬＥＤの他方の端子は、基板３２を貫通する絶縁処理された貫通孔６０を介して、他方の主面の電極パターン６０に引き出される。フレーム８０の把持部８４Ａ，８４Ｂの内側には、基板３２の側面と電気的に接続する板バネ８８Ａ，８８Ｂが設けられている。また、フレーム８０の固定ボード８２には、電極パターン６０をフレーム８０の裏側に引き出すパターンや絶縁手段が設けられている。【選択図】図４
2010268899.tif 000002
【特許請求の範囲】
【請求項１】
導電性を有しており、厚み方向に貫通するとともに内面が絶縁処理された貫通孔を一つ以上有する略帯状の基板，
該基板の一方の主面上に設けられた略帯状の絶縁シート，
該絶縁シート上に、長手方向に沿って配置された複数の光源，
前記絶縁シートと複数の光源の間に形成されており、前記複数の光源の一方の端子と接続する第１の電極パターン，
前記絶縁シートと複数の光源の間に形成されており、前記複数の光源の他方の端子と接続する第２の電極パターン，
透光性を有し、略平面状の主面が、前記複数の光源に対して所定の間隔を保って近接するように、前記基板にその長手方向に沿って固定される導光体，
前記第１の電極パターンと前記基板を電気的に接続する第１の引出手段，
前記第２の電極パターンを、前記基板の貫通孔を利用して他方の主面側に引き出す第２の引出手段，
を含む照明ユニットと、
導電性を有しており、ショーケースに固定される固定ボードと、
該固定ボードに対して、前記照明ユニットの基板を着脱可能に装着する保持手段と、
前記基板が前記固定ボードに装着されたときに、該固定ボードと前記基板を電気的に接続する導通手段と、
前記固定ボードの一方の主面上に形成されており、前記照明ユニットの第２の引出手段と電気的に接続するとともに、前記固定ボードとは絶縁された電極部と、
を備えたことを特徴とするショーケース用の照明装置。
【請求項２】
前記保持手段が、前記固定ボードの主面上に長手方向に沿って一対以上形成されており、前記基板の両縁部との係合によって、前記基板をスライド式に着脱可能に保持することを特徴とする請求項１記載のショーケース用の照明装置。
【請求項３】
前記保持手段が導電性を有することを特徴とする請求項２記載のショーケース用の照明装置。
【請求項４】
前記保持手段が、前記基板の他方の主面と前記固定ボードの一方の主面上にそれぞれ設けられた磁石であることを特徴とする請求項１記載のショーケース用の照明装置。
【請求項５】
前記導通手段が、前記固定ボード又は前記保持手段に固定されており、前記基板の側面又は他方の主面と接触する導電性を有するバネ体であることを特徴とする請求項１，３，４のいずれか一項に記載のショーケース用の照明装置。
【請求項６】
前記導光体は、光の射出側が、前記光源からの光の入射方向に対して屈曲又は屈折した形状であることを特徴とする請求項１〜５のいずれか一項に記載のショーケース用の照明装置。
【請求項７】
前記導光体は、光の射出側の端部の端面形状が、略平面状，略弧状，テーパ状，もしくは、前記形状の組み合わせのいずれかであることを特徴とする請求項１〜６のいずれか一項に記載のショーケース用の照明装置。
【請求項８】
前記導光体の光の射出側に、光を拡散させるための拡散部を設けたことを特徴とする請求項１〜７のいずれか一項に記載のショーケース用の照明装置。
【請求項９】
前記固定ボードに、放熱用のフィンを設けたことを特徴とする請求項１〜８のいずれか一項に記載のショーケース用の照明装置。
【請求項１０】
前記光源が、発光ダイオードであることを特徴とする請求項１〜９のいずれか一項に記載のショーケース用の照明装置。
【請求項１１】
前記照明ユニットの基板及び固定ボードとして、アルミニウム板を利用したことを特徴とする請求項１〜１０のいずれか一項に記載のショーケース用の照明装置。
【請求項１２】
前記照明ユニットを、長手方向に複数連結するための連結手段，
を備えたことを特徴とする請求項１〜１１のいずれか一項に記載のショーケース用の照明装置。
【請求項１３】
前記固定ボードの一方の主面が、前記ショーケースの取付面に対して傾斜するように、前記固定ボードの他方の主面と前記取付面の間に配置されるスペーサ，
を備えたことを特徴とする請求項１〜１２のいずれか一項に記載のショーケース用の照明装置。
【発明の詳細な説明】
【技術分野】
【０００１】
本発明は、照明装置に関し、更に具合的には、ショーケース（ショーウインドなども含む）用の照明装置に関するものである。
【背景技術】
【０００２】
ショーケース用の照明装置として、例えば、下記特許文献１には、発光面を均一に発光させることを目的とした技術が開示されている。該特許文献１には、断面略円弧状ないし略円形の透明体と、それを覆うカバーと、該カバーと前記透明体の間に設けられた複数の光源とを備えた照射手段を反射ケースの内側側面に配置し、前記照射手段によって、前記反射ケース内又は該反射ケースの開口部に設けられた導光板に光を照射することを特徴とする発光パネル及びそれを利用した発光物が開示されている。
【先行技術文献】
【特許文献】
【０００３】
【特許文献１】特開２００７−５９１６３公報
【発明の概要】
【発明が解決しようとする課題】
【０００４】
しかしながら、上述した特許文献１に記載の技術では、発光パネル（ないし反射ケース）の大きさに応じて照射手段の長さが決定されるため、大型になるほど製造や取り付けに手間がかかるという不都合がある。これは、前記特許文献１に記載の技術を、長尺の（バー状の）照明装置に応用した場合も同様である。また、前記光源に電源から通電するための配線を必要とするため、組み立てや取り付けの際には、配線の向きを考慮しなければならない。更に、多数のＬＥＤを使い続けると、白熱球や蛍光灯と比べれば温度上昇の度合いは低いものの、ある程度の温度上昇を免れることはできないという不都合もある。
【０００５】
本発明は、以上のような点に着目したもので、その目的は、全体を十分な明るさで均一に発光させるとともに、長尺状ないしパネル状に形成したときでも、製造や設置場所への取り付けが容易なショーケース用の照明装置を提供することである。他の目的は、温度上昇の抑制を図ることができるショーケース用の照明装置を提供することである。
【課題を解決するための手段】
【０００６】
本発明のショーケース用の照明装置は、導電性を有しており、厚み方向に貫通するとともに内面が絶縁処理された貫通孔を一つ以上有する略帯状の基板，該基板の一方の主面上に設けられた略帯状の絶縁シート，該絶縁シート上に、長手方向に沿って配置された複数の光源，前記絶縁シートと複数の光源の間に形成されており、前記複数の光源の一方の端子と接続する第１の電極パターン，前記絶縁シートと複数の光源の間に形成されており、前記複数の光源の他方の端子と接続する第２の電極パターン，透光性を有し、略平面状の主面が、前記複数の光源に対して所定の間隔を保って近接するように、前記基板にその長手方向に沿って固定される導光体，前記第１の電極パターンと前記基板を電気的に接続する第１の引出手段，前記第２の電極パターンを、前記基板の貫通孔を利用して他方の主面側に引き出す第２の引出手段，を含む照明ユニットと、導電性を有しており、ショーケースに固定される固定ボードと、該固定ボードに対して、前記照明ユニットの基板を着脱可能に装着する保持手段と、前記基板が前記固定ボードに装着されたときに、該固定ボードと前記基板を電気的に接続する導通手段と、前記固定ボードの一方の主面上に形成されており、前記照明ユニットの第２の引出手段と電気的に接続するとともに、前記固定ボードとは絶縁された電極部と、を備えたことを特徴とする。
【０００７】
主要な形態の一つは、前記保持手段が、前記固定ボードの主面上に長手方向に沿って一対以上形成されており、前記基板の両縁部との係合によって、前記基板をスライド式に着脱可能に保持することを特徴とする。好ましくは、前記保持手段が導電性を有することを特徴とする。あるいは、前記保持手段が、前記基板の他方の主面と前記固定ボードの一方の主面上にそれぞれ設けられた磁石であることを特徴とする。他の形態は、前記導通手段が、前記固定ボード又は前記保持手段に固定されており、前記基板の側面又は他方の主面と接触する導電性を有するバネ体であることを特徴とする。
【０００８】
更に他の形態は、前記導光体は、光の射出側が、前記光源からの光の入射方向に対して屈曲又は屈折した形状であることを特徴とする。更に他の形態は、前記導光体は、光の射出側の端部の端面形状が、略平面状，略弧状，テーパ状，もしくは、前記形状の組み合わせのいずれかであることを特徴とする。更に他の形態は、前記導光体の光の射出側に、光を拡散させるための拡散部を設けたことを特徴とする。
【０００９】
更に他の形態は、前記固定ボードに、放熱用のフィンを設けたことを特徴とする。更に他の形態は、前記光源が、発光ダイオードであることを特徴とする。更に他の形態は、前記照明ユニットの基板及び固定ボードとして、アルミニウム板を利用したことを特徴とする。更に他の形態は、前記照明ユニットを、長手方向に複数連結するための連結手段，を備えたことを特徴とする。更に他の形態は、前記固定ボードの一方の主面が、前記ショーケースの取付面に対して傾斜するように、前記固定ボードの他方の主面と前記取付面の間に配置されるスペーサ，を備えたことを特徴とする。本発明の前記及び他の目的，特徴，利点は、以下の詳細な説明及び添付図面から明瞭になろう。
【発明の効果】
【００１０】
本発明によれば、ショーケースに固定される導電性の固定ボードに対し、導電性を有する基板の一方の主面上の絶縁シートに光源が配置された照明ユニットを、保持手段によって着脱可能に保持する。そして、前記光源の一方の端子を引き出して前記基板に接続し、前記照明ユニットを固定ボードに装着したときに、導通手段によって前記基板と固定ボードを導通させる。更に、前記光源の他方の端子を前記基板との絶縁をはかりながら、該基板を貫通させて他方の主面側に引き出し、前記固定ボードの主面上に絶縁手段を介して設けられた電極部と接続することで、固定ボードにのみ給電する構造とした。このため、照明ユニットの装着方向を考慮せずに固定ボードに装着可能となり、容易に照明装置を組み立てることができる。また、前記固定ボードに放熱用のフィンを設けることで、温度上昇の抑制が可能になる。
【図面の簡単な説明】
【００１１】
【図１】本発明の実施例１の照明装置の使用状態を示す図であり、(A)は側面図，(B)は前記(A)を矢印Ｆ１方向から見た正面図である。
【図２】図２(A)は前記実施例１の照明装置を、フレームと照明ユニットに分解した外観斜視図，図２(B)は前記フレームの変形例を示す外観斜視図である。
【図３】図３(A)は、前記実施例１の照明ユニットの側面図，図３(B)は照明ユニットとフレームの接続の様子を裏面側から見た平面図である。
【図４】前記図２(A)を＃Ａ−＃Ａ線に沿って切断し矢印方向に見た断面図である。
【図５】図５(A)は前記実施例１の照明ユニットの配線パターンを示す平面図，図５(B)は回路図である。
【図６】図６(A)は本発明の実施例２のフレームの構成を示す外観斜視図，図６(B)は本発明の実施例３のフレームの構成を示す外観斜視図である。
【図７】本発明の実施例４の照明装置の主要断面図である。
【図８】本発明の実施例５を示す図であり、図８(A)は照明装置の主要断面図，図８(B)は照明ユニットの裏面側を示す平面図，図８(C)は変形例を示す図である。
【図９】本発明の実施例６を示す図であり、図９(A)は照明ユニット及び中間ソケットの連結前の状態を示す側面図，図９(B)は照明ユニット及び中間ソケットとフレームの接続の様子を裏面側から見た平面図である。
【図１０】本発明の実施例７の導光体を示す断面図である。
【図１１】本発明の実施例８の使用状態を示す側面図である。
【発明を実施するための形態】
【００１２】
以下、本発明を実施するための最良の形態を、実施例に基づいて詳細に説明する。
【実施例１】
【００１３】
最初に、図１〜図５を参照しながら本発明の実施例１を説明する。図１は、本実施例の照明装置の使用状態を示す図であり、(A)は側面図，(B)は前記(A)を矢印Ｆ１方向から見た正面図である。図２(A)は本実施例の照明装置を、フレームと照明ユニットに分解した外観斜視図，図２(B)は前記フレームの変形例を示す外観斜視図である。図３(A)は、本実施例の照明ユニットの側面図，図３(B)は照明ユニットとフレームの接続の様子を裏面側から見た平面図である。図４は、前記図２(A)を＃Ａ−＃Ａ線に沿って切断し矢印方向に見た断面図である。図５(A)は、本実施例の照明ユニットの配線パターンを示す平面図，図５(B)は回路図である。
【００１４】
図１(A)及び(B)に示すショーケース１０は、支持台１２と上面１４の間が、透光性を有するカバー１６により囲まれており、その内側には陳列板１８が設けられ、前記上面１４には、本実施例の照明装置２０が取り付けられている。前記陳列板１８は、透光性を有する素材を用いると、該陳列板１８の下に陳列されている商品にまで光が照射されるので好都合である。前記支持台１２の内側には、前記照明装置２０に電気を供給するための電源５４が設けられている。前記照明装置２０は、前記上面１４に固定されるフレーム８０と、該フレーム８０に対してスライド式に着脱可能な照明ユニット３０により構成されている。
【００１５】
まず、前記照明ユニット３０について説明する。図３(A)，図４，図５(A)に示すように、照明ユニット３０は、導電性金属により形成された略帯状の基板３２の一方の主面上に、該基板３２よりも寸法が小さい略帯状の絶縁シート３４が設けられている。前記基板３２としては、例えば、アルミニウム板が利用される。前記絶縁シート３４上には、図５(A)に示すように、複数の電極パターン３６Ａ〜３６Ｆ，３６Ａ´〜３６Ｆ´が形成されており、これら電極パターン３６Ａ〜３６Ｆ，３６Ａ´〜３６Ｆ´に跨るように、複数（本実施例では１２個）のＬＥＤ（発光ダイオード）５０Ａ〜５０Ｌが、長さ方向に略等間隔で配置されている。このほか、前記絶縁シート３４上には、電極パターン３６Ｇ，３６Ｇ´，３６Ｈ，３６Ｈ´，３８，４０が設けられている。これら電極パターンとしては、例えば、銅が用いられる。
【００１６】
本実施例では、図５(A)に示すように、ＬＥＤ５０Ａ及び５０Ｂが、電極パターン３６Ａ，３６Ｂに跨り、ＬＥＤ５０Ｃ及び５０Ｄが、電極パターン３６Ｃ，３６Ｄに跨り、ＬＥＤ５０Ｅ及び５０Ｆが、電極パターン３６Ｅ，３６Ｆに跨っている。そして、ＬＥＤ５０Ａ及び５０Ｂの一方の端子と接続する電極パターン３６Ｂを、ＬＥＤ５０Ｃ及び５０Ｄの他方の端子と接続する電極パターン３６Ｃに接続して、図５(B)の回路図に示すように、並列接続されたＬＥＤ５０ＡとＬＥＤ５０Ｂと、ＬＥＤ５０Ｃ及び５０Ｄを直列接続する。同様に、ＬＥＤ５０Ｃ及び５０Ｄの一方の端子と接続する電極パターン３６Ｄと、ＬＥＤ５０Ｅ及び５０Ｆの他方の端子と接続する電極パターン３０Ｅと接続し、直列接続する。なお、前記電極パターン３６Ａは、電極パターン３６Ｇと接続し、電極パターン３６Ｆは、電極パターン３６Ｈに接続している。
【００１７】
ＬＥＤ５０Ｇ〜５０Ｌについても同様に、ＬＥＤ５０Ｇ及び５０Ｈが、電極パターン３６Ａ´，３６Ｂ´に跨り、ＬＥＤ５０Ｉ及び５０Ｊが、電極パターン３６Ｃ´，３６Ｄ´に跨り、ＬＥＤ５０Ｋ及び５０Ｌが、電極パターン３６Ｅ´，３６Ｆ´に跨っている。そして、ＬＥＤ５０Ｇ及び５０Ｈの一方の端子と接続する電極パターン３６Ｂ´を、ＬＥＤ５０Ｉ及び５０Ｊの他方の端子と接続する電極パターン３６Ｃ´に接続して、図５(B)の回路図に示すように、並列接続されたＬＥＤ５０ＧとＬＥＤ５０Ｈと、ＬＥＤ５０Ｉ及び５０Ｊを直列接続する。同様に、ＬＥＤ５０Ｉ及び５０Ｊの一方の端子と接続する電極パターン３６Ｄ´と、ＬＥＤ５０Ｋ及び５０Ｌの他方の端子と接続する電極パターン３０Ｅ´と接続し、直列接続する。前記電極パターン３６Ａ´は、電極パターン３６Ｇ´と接続し、電極パターン３６Ｆ´は、電極パターン３６Ｈ´に接続している。
【００１８】
そして、前記電極パターン３６Ｇと３６Ｇ´を電極パターン３８で接続し、電極パターン３６Ｈと３６Ｈ´を電極パターン４０で接続することで、図５(B)に示すように、ＬＥＤ５０Ａ〜５０Ｆからなる光源群と、ＬＥＤ５０Ｇ〜５０Ｌからなる光源群を、並列接続する。このような接続とすると、並列接続されたＬＥＤのいずれかが点灯不良であったとしても、残りのＬＥＤが点灯を続けるため、光量不足が目立たないという効果がある。
【００１９】
前記ＬＥＤの一方の端子（本実施例ではマイナス端子）と接続した電極パターン３６Ｈ´の一端側（図５(A)の右側）には、接続部４２が形成されており、前記基板３２に設けられた給電部４６に、パターン４８によって接続されている。これにより、ＬＥＤのマイナス端子は、導電性を有する基板３２に引き出される。一方、前記ＬＥＤの他方の端子（本実施例ではプラス端子）と接続した電極パターン３６Ｇ´の一端側（図５(A)の右側）には、接続部４４が形成されている。前記基板３２には、図４に示すように、前記接続部４４に対応する位置に、厚み方向に貫通する貫通孔６２が形成されている。該貫通孔６２の内面は、公知の絶縁体６２Ａによって被覆されている。
【００２０】
また、前記基板３２の他方の主面には、図２(A)及び図３(B)に示すように、略帯状の絶縁シート５８が設けられており、該絶縁シート５８には、プラス側の給電部として電極パターン６０が設けられている。前記絶縁シート５８は、前記電極パターン６０と基板３２の絶縁を図るためのもので、前記電極パターン６０よりも大きく形成されている。そして、前記接続部４４と前記電極パターン６０を、前記貫通孔６２を貫通する配線６４などで接続することにより、ＬＥＤのプラス側の端子が、基板３２の裏面側に引き出される。
【００２１】
以上のような配線パターン３６Ａ〜３６Ｆ，３６Ａ´〜３６Ｆ´に跨るように配置されたＬＥＤ５０Ａ〜５０Ｌ上には、図３(A)及び図４に示すように、透光性を有し、断面略方形状の長尺の導光板６８が配置される。該導光板６８は、ネジ７２によって前記基板３２に固定されるが、そのときに、一方の主面が、前記ＬＥＤ５０Ａ〜５０Ｌの表面と所定の間隔（図３(A)の間隔ＩＡ）を保つように、前記基板３２と導光板６８の間には、適宜間隔で複数のスペーサ６６が設けられる。前記間隔ＩＡは、非密着状態で近接するように、例えば、０．２〜０．３ｍｍ程度に設定されている。前記導光板６８としては、例えば、アクリル板が利用される。更に、前記導光板６８の他方の主面には、拡散テープ７０が設けられている。該拡散テープ７０は、前記ＬＥＤ５０Ａ〜５０Ｌから導光板６８へ向けて照射された光を散乱ないし拡散するためのものである。
【００２２】
次に、前記ショーケース１０に固定されるフレーム８０について説明する。フレーム８０は、図２(A)及び図４に示すように、前記照明ユニット３０の基板３２を、スライド式に着脱できるように収納する収納部８６を備えている。該収納部８６は、略平面状で前記基板３２よりも面積が大きく、ショーケース１０の上面１４に固定される固定ボード８２と、該固定ボード８２の両縁に、長手方向に沿って設けられた一対の把持部（ないし保持部）８４Ａ及び８４Ｂにより形成されている。本実施例では、図示のように、前記固定ボード８２と把持部８４Ａ及び８４Ｂが一体に形成されているが、固定ボード８２とは別に形成された把持部８４Ａ及び８４Ｂを適宜手段で固定ボード８２に取り付けるようにしてもよい。前記フレーム８０は、全体が導電性を有しており、本実施例では、放熱性や加工性に優れた軽量素材であるアルミニウム板により形成されている。
【００２３】
また、前記把持部８４Ａ，８４Ｂの内側の側面８５Ａ，８５Ｂには、図３(B)及び図４に示すように、板バネ８８Ａ，８８Ｂが設けられている。該板バネ８８Ａ，８８Ｂは、前記照明ユニット３０の基板３２を収納部８６に差し込んだときに、その側面に接触部８９が接触し、前記基板３２に引き出されたＬＥＤ５０Ａ〜５０Ｌのマイナス側の端子と、フレーム８０自体との電気的な接続を図るためのものである。前記板バネ８８Ａ，８８Ｂとしては、例えば、りん青銅の板バネが用いられる。なお、本実施例では、前記把持部８４Ａ，８４Ｂをアルミニウム板により形成しているため、前記板バネ８８Ａ，８８Ｂによる電気的な接続に加え、前記把持部８４Ａ，８４Ｂと前記基板３２の接触部分も電気的接続に寄与する構造となっている。
【００２４】
更に、固定ボード８２の一方の主面（前記収納部８６側の主面）には、前記図４に示すように、絶縁シート９０上に電極パターン９２が形成されており、固定ボード８２の他方の主面には、絶縁シート９４上に電極パターン９６が形成されている。前記電極パターン９２，９６は、略帯状に形成していてもよいし、フレーム８０の端部側や中央部などに部分的に形成するようにしてもよい。また、前記固定ボード８２には、内面が絶縁体９８Ａで被覆された貫通孔９８が形成されており、該貫通孔９８を貫通する配線９９によって前記電極パターン９２及び９６を接続することにより、基板３２の裏面の電極パターン６０が、フレーム８０の裏側に引き出される。そして、前記電極パターン９６を電源５４の図示しない一方（本実施例ではプラス）の端子に接続し、絶縁シート９０及び９４と電極パターン９２及び９６を除くフレーム８０のいずれかの部分を、前記電源５４の他方（本実施例ではマイナス）の端子に接続する。なお、前記電極パターン９６と電源５４のプラス側の端子との間には、図５(B)に示すように、必要に応じてスイッチ５６と抵抗（チップ抵抗）５２が設けられている。
【００２５】
次に、本実施例の作用を説明する。なお、照明装置２０の設置作業は、ショーケース１０のカバー１６の側面を開いた状態で行うものとする。前記照明装置２０のフレーム８０は、把持部８４Ａ，８４Ｂが照射側を向くようにして、ショーケース１０の上面１４に適宜手段で固定される。そして、フレーム８０の電極パターン９６を、支持台１２内に設けた電源５８のプラスの端子に接続し、絶縁シート９０，９４と電極パターン９２，９６を除くフレーム８０のいずれかの部分を、前記電源５４のマイナスの端子に接続する。次に、照明ユニット３０の基板３２を、前記フレーム８０の一端側から把持部８４Ａ及び８４Ｂの溝に差し込み、フレーム８０に装着する。
【００２６】
装着状態では、図４に示すように、ＬＥＤの一方の端子（プラス端子）に接続した電極パターン３６Ｇ´は、基板３２の接続部４４，配線６４，電極パターン６０と、フレーム８０の電極パターン９２，配線９９，電極パターン９６を介して、電源５４のプラス端子に接続される。一方、ＬＥＤの他方の端子（マイナス端子）に接続した電極パターン３６Ｈ´は、接続部４２，パターン４８，給電部４６，基板３２，板バネ８８Ａ及び８８Ｂ，フレーム８０を介して、電源５４のマイナス端子に接続される。そして、スイッチ５６をＯＮにして、電源５４からＬＥＤ５０Ａ〜５０Ｌに電気を供給して通電し、ＬＥＤ５０Ａ〜５０Ｌを点灯させ、外部に向けて光を照射する。ＬＥＤ５０Ａ〜５０Ｌから照射された光は、導光板６８に入射し、その表面に設けられた拡散テープ７０により拡散するため、照明装置２０を外部から見ると、長さ方向に均一に明るく発光しているように見える。
【００２７】
このように、実施例１によれば、次のような効果がある。
(1)ショーケース１０に固定される導電性を有するフレーム８０の把持部８４Ａ，８４Ｂによって、導電性の基板３２の一方の主面上の絶縁シート３４にＬＥＤ５０Ａ〜５０Ｌが配置された照明ユニット３０を、スライド式に着脱可能に保持する。そして、前記ＬＥＤ５０Ａ〜５０Ｌの一方の端子を引き出して前記基板３２に接続し、前記照明ユニット３０をフレーム８０に装着したときに、板バネ８８Ａ，８８Ｂを介して前記基板３２とフレーム８０を導通させる。更に、前記ＬＥＤ５０Ａ〜５０Ｌの他方の端子を、前記基板３２との絶縁を図りながら、該基板３２を貫通させて他方の主面側に引き出し、固定ボード８２の主面上に絶縁シート９０を介して設けられた電極パターン９２と接続することで、フレーム８０のみに給電する構造とした。このため、照明ユニット３０の装着方向を考慮せずにフレーム８０に装着可能となり、容易に照明装置２０を組み立てることができる。また、把持部８４Ａ，８４Ｂに沿って基板３２をスライドさせるだけで、フレーム８０に対する照明ユニット３２の装脱着が可能である。
【００２８】
(2)フレーム８０及び基板３２として、放熱性の高いアルミニウム板を利用することとしたので、放熱効果を高めるとともに、全体の軽量化を図ることができる。
(3)ＬＥＤ５０Ａ〜５０Ｌを光源として用いることとしたので、高い照明効率を維持しながら消費電力を削減し、ランニングコストの低減を図ることができる。また、白熱灯や蛍光ランプを利用した場合と比べて温度上昇を抑制することができる。
(4)並列接続されたＬＥＤ５０Ａ及び５０Ｂ，５０Ｃ及び５０Ｄ，５０Ｅ及び５０Ｆを直列接続し、並列接続された５０Ｇ及び５０Ｈ，５０Ｉ及び５０Ｊ，５０Ｋ及び５０Ｌを直列接続することとしたので、並列接続されたＬＥＤ中の一方のＬＥＤが点灯不良であったとしても、他方のＬＥＤが発光するための光量不足が目立たない。
(5)前記板バネ８８Ａ，８８Ｂと基板３２の側面との接触による導通に加え、導電性を有する把持部８４Ａ，８４Ｂが前記基板３２の主面と面接触するため、基板３２とフレーム８０の導通をより確実にとることができる。
【００２９】
＜変形例＞・・・図２(B)には、本実施例のフレームの変形例が示されている。図２(B)に示すフレーム１００は、略平面状の固定ボード１０２の一方の主面の両縁に、断面略Ｌ字状の把持部１０４Ａ，１０４Ｂを有するとともに、これら把持部１０４Ａ，１０４Ｂの中間に、断面略Ｔ字状の把持部１０４Ｃを備えている。これら把持部１０４Ａ，１０４Ｂ，１０４Ｃは、長手方向に沿って略平行に形成されており、前記把持部１０４Ａと１０４Ｃによって収納部１０６Ａが形成され、把持部１０４Ｃと１０４Ｂによって収納部１０６Ｂが形成されている。前記把持部１０４Ａ〜１０４Ｃの内側の側面１０８Ａ〜１０８Ｄには、前記図３(B)及び図４と同様の板バネ（図示せず）が設けられており、照明ユニット３０の基板３２との電気的接続が可能となっている。この変形例によれば、収納部１０６Ａ及び１０６Ｂの双方に照明ユニット３０を装着することにより、パネル状の照明装置として利用することが可能となる。また、収納部１０６Ａ，１０６Ｂのいずれか一方にのみ照明ユニットを装着することで、光量や照射範囲の調整が可能となる。
【実施例２】
【００３０】
次に、図６(A)を参照しながら本発明の実施例２を説明する。図６(A)は、本実施例のフレームの構成を示す外観斜視図である。本実施例のフレーム１５０は、略平面状の固定ボード１５２の一方の主面側に、一対の把持部１５４Ａ及び１５４Ｂによって収納部１５６が形成されており、他方の主面側には、前記固定ボード１５２と略直交する複数のフィン１５８が平行に設けられている。前記固定ボード１５２は、前記収納部１５６よりも幅広に設定されている。なお、前記把持部１５４Ａ及び１５４Ｂの内側の側面には、実施例１と同様の板バネが設けられている（図示せず）。前記フィン１５８は、放熱性を向上させるためのもので、固定ボード１５２，把持部１５４Ａ及び１５４Ｂとともに、アルミニウム板などにより形成されている。また、前記フレーム１５０は、前記複数のフィン１５８に跨るように固定された電源ボックス１６０を備えている。前記フレーム１５０には、前記実施例１と同様にして引き出されたＬＥＤの一方の端子が接続され、更に、図示しない接続手段によって電源の端子に接続される。本実施例によれば、複数のフィン１５８を設けることで、前記実施例１の効果に加え、温度上昇の抑制が可能になるという効果がある。また、電源ボックス１６０をフレーム１５０と一体化することにより、配線の引き回しが不要になるという利点がある。
【実施例３】
【００３１】
次に、図６(B)を参照しながら本発明の実施例３を説明する。図６(B)は、本実施例のフレームの構成を示す外観斜視図である。本実施例のフレーム２００は、略平面状の固定ボード２０２の一方の主面側に、３対の把持部２０４Ａ及び２０４Ｂ，２０８Ａ及び２０８Ｂ，２１２Ａ及び２１２Ｂによって、３つの収納部２０６，２１０，２１４が形成されている。これら収納部２０６，２１０，２１４は、適宜間隔をおいて略平行に配置されている。なお、前記把持部２０４Ａ，２０４Ｂ，２０８Ａ，２０８Ｂ，２１２Ａ，２１２Ｂの内側の側面には、図示しない板バネが設けられている。また、前記固定ボード２０２の他方の主面側には、該固定ボード２０２と略直交する放熱用のフィン２１６が複数設けられている。必要に応じて、前記フィン２１６に跨るように図示しない電源ボックスを設けてもよい。本実施例によれば、一つのフレーム２００で複数の照明ユニットを保持でき放熱性にも優れるため、広範囲の照射が可能となる。むろん、全ての収納部２０６，２１０，２１４に照明ユニットを装着せずに、必要な部分にのみ装着してもよい。
【実施例４】
【００３２】
次に、図７を参照しながら本発明の実施例４を説明する。図７は、本実施例の照明装置の主要断面図である。なお、上述した実施例１と同一ないし対応する構成要素には同一の符号を用いることとする（以下の実施例についても同様）。図７に示すように、照明装置２０Ａの基板３２の固定ボード８２側の主面には、前記絶縁シート５８及び電極パターン６０の両側に、磁石１１０Ａ，１１０Ｂが設けられている。一方、フレーム８０の固定ボード８２の主面上には、前記磁石１１０Ａ，１１０Ｂと対応する位置に、磁石１１２Ａ，１１２Ｂが設けられている。前記磁石１１０Ａ，１１０Ｂ，１１２Ａ，１１２Ｂは、長手方向に沿って帯状（ないしライン状）に設けてもよいし、間欠的に設けるようにしてもよい。本実施例によれば、前記基板３２をフレーム８０の収納部８６に差し込んだときに、前記磁石１１０Ａと１１２Ａが吸着し、磁石１１０Ｂと１１２Ｂが吸着することで、基板３２の電極パターン６０と、固定ボード８２の電極パターン９２を密着させて、確実な導通を図ることができる。このとき、前記磁石１１０Ａと１１０Ｂとの間隔と、前記磁石１１２Ａと１１２Ｂとの間隔を略同一に設定しておくことにより、前記実施例１と同様に、フレーム８０に対する照明ユニット３０の装着方向を考慮することなく装着が可能である。
【実施例５】
【００３３】
次に、図８を参照しながら本発明の実施例５を説明する。図８(A)は本実施例の照明装置の主要断面図，図８(B)は照明ユニットの裏面側を示す平面図，図８(C)は変形例を示す図である。上述した実施例１では、フレーム８０の両縁に設けた把持部８４Ａ，８４Ｂによって照明ユニット３０の基板を保持する構造としたが、本実施例は、磁石を利用して照明ユニットを保持する構造とした例である。図８(A)及び(B)に示すように、本実施例の照明装置２５０では、照明ユニット３０Ａの基板３２の裏面に、長手方向に沿って磁石２５２が設けられている。該磁石２５２の中央部には、前記基板３２とは絶縁された電極パターン６０が長手方向に沿って設けられており、ＬＥＤ５０Ａ〜５０Ｌの一方の端子と接続した配線６４に接続されている。前記電極パターン６０の両側には、長手方向に沿って一対の電極パターン２５４Ａ，２５４Ｂが設けられている。該電極パターン２５４Ａ，２５４Ｂは、前記基板３２上に直接形成されて電気的接続が可能であるとともに、前記電極パターン６０とは絶縁されている。なお、本実施例では、前記電極パターン２５４Ａ，２５４Ｂを磁石２５２の内側に設けることとしたが、外側に設けるようにしてもよい。
【００３４】
一方、固定ボード２５１は、前記実施例１と同様に導電性を有する材料（例えば、アルミニウム板）によって形成されており、一方の主面上の中央部には、略帯状に磁石２５６が設けられている。該磁石２５６の中央部には、前記固定ボード２５１とは絶縁された電極パターン９２が設けられており、前記基板３２側の電極パターン６０と接触可能となっている。更に、前記電極パターン９２の両側には、一対の電極パターン２５８Ａ，２５８Ｂが、固定ボード２５１上に直接形成されており、前記固定ボード２５１と電気的な接続が可能であるとともに、前記電極パターン９２とは絶縁されている。前記磁石２５２と２５６を吸着させて、前記固定ボード２５１に照明ユニット３０Ａを装着すると、上述したＬＥＤの一方の端子（プラス端子）に接続した電極パターン６０は、固定ボード２５１の電極パターン９２，配線９９，電極パターン９６を介して、固定ボード２５１の裏面側に引き出され、図示しない電源のプラス端子に接続される。一方、ＬＥＤの他方の端子（マイナス端子）に接続した基板３２は、電極パターン２５４Ａ及び２５４Ｂ，電極パターン２５８Ａ及び２５８Ｂ，固定ボード２５１を介して、図示しない電源のマイナス端子に接続される。
【００３５】
本実施例によれば、ＬＥＤの両方の端子に接続した電極パターンを双方とも基板３２の裏側に引き出し、磁石２５２，２５６を利用して照明ユニット３０Ａを固定ボード２５１に装着するため、固定ボード２５１の構造を簡単にしながら、上述した実施例１と同様の効果が得られる。また、前記一対の電極パターン２５４Ａ，２５４Ｂ間と、前記電極パターン２５８Ａ，２５８Ｂ間を、同間隔に設定しておくことにより、電極パターン２５４Ａと２５８Ｂ，電極パターン２５４Ｂと２５８Ａの接触が可能であるため、照明ユニット３０Ａの装着時の方向を考慮せずに、容易に固定ボード２５１に取り付けることができる。なお、図８(C)に示す変形例のように、前記電極パターン２５４Ａ，２５４Ｂ，２５８Ａ，２５８Ｂの代わりに、固定ボード２５１に設けた導電性を有するバネ２５９によって、基板３２との導通を図るようにしても同様の効果が得られる。
【実施例６】
【００３６】
次に、図９を参照しながら本発明の実施例６を説明する。図９(A)は照明ユニット及び中間ソケットの連結前の状態を示す側面図，図９(B)は照明ユニット及び中間ソケットとフレームの接続の様子を裏面側から見た平面図である。本実施例の照明装置２６０は、一つのフレーム８０に対して、複数の照明ユニット３０Ｂを装着する構成としたもので、照明ユニット３０Ｂ同士の連結部分には、中間ソケット２７０が設けられている。前記照明ユニット３０Ｂは、基板３２の両端部に、長手方向に突出したピン２６２及び２６４を備えている。一方、前記中間ソケット２７０は、図示の例ではブロック状であって、両端側に前記ピン２６２，２６４が挿通される嵌合部２７２，２７４を有している。前記中間ユニット２７０を構成する材質は任意であるが、導電性を有しない材質で構成される場合には、図９(B)のようにフレーム８０に設けた板バネ８８Ａ，８８Ｂによって、照明ユニット３０Ｂの基板３２同士の導通を図るようにすればよい。むろん、前記ピン２６２及び２６４や中間ソケット２７０を導電性の材質で構成するようにしてもよい。本実施例によれば、中間ソケット２７０の利用により、照明ユニット３０Ｂが複数連結できるため、照明ユニットを所望の長さに調整できる。
【実施例７】
【００３７】
次に、図１０を参照して本発明の実施例７を説明する。図１０(A)〜(H)は、本発明の照明装置に利用される導光体を示す断面図である。上述した実施例１では、断面略方形状の導光板を利用することとしたが、本発明の照明装置は、前記形状に限らず、各種形状の導光体が利用可能である。まず、図１０(A)に示す導光体３００は、光の射出側（図面上側）が、断面略弧状の曲面部３０２となっており、その表面には拡散部３０４が形成されている。図１０(B)に示す導光体３１０は、光の射出側が、断面略弧状の曲面部３１２Ａ，３１２Ｂが連続形成された形状となっており、前記曲面部３１２Ａ，３１２Ｂの表面には拡散部３１４Ａ，３１４Ｂが形成されている。
【００３８】
図１０(C)に示す導光体３２０は、光の射出側に、断面略Ｖ字状の溝３２２が形成されており、該溝３２２の斜面３２４Ａ，３２４Ｂの表面に拡散部３２６Ａ，３２６Ｂが設けられている。図１０(D)に示す導光体３３０は、光の射出側の断面形状が鋭角の凸部３３２となっており、その斜面３３４Ａ，３３４Ｂの表面に、拡散部３３６Ａ，３３６Ｂが形成されている。図１０(E)に示す導光体３４０は、光の入射方向に対して屈曲した屈曲部３４２を有しており、光の射出側には断面略弧状の曲面部３４４が形成されている。図１０(F)に示す導光体３５０は、光の入射方向に対して屈折した屈折部３５２を有しており、光の射出側には曲面部３５４が形成されている。図１０(A)〜(F)に示すような形状にすることで、光源から入射した光を複雑に反射・屈折させることができる。
【００３９】
次に、図１０(G)に示す導光板６８Ａは、前記実施例１の導光板６８よりも光の入射方向の長さ（ないし厚み）を長くしたもので、比較的近くを照明する場合に適した例である。また、図１０(H)に示す導光板６８Ｂは、前記実施例１の導光板６８よりも光の入射方向の長さを短くしたもので、比較的遠方を照明する場合に適した例である。なお、上述した導光体３００，３１０，３２０，３３０や導光板６８Ａ，６８Ｂは、光の射出側に拡散部３０２，３１４Ａ，３１４Ｂ，３２６Ａ，３２６Ｂ，３３６Ａ，３３６Ｂや拡散テープ７０を設けたが、これら拡散手段は必要に応じて設ければよい。また、前記導光体３４０，３５０の光の射出側に拡散部を設けるようにしてもよい。
【実施例８】
【００４０】
次に、図１１を参照して本発明の実施例８を説明する。図１１は、本実施例の使用状態を示す側面図である。同図に示すように、ショーケース４００は、支持台４０２と上面４０４の間に陳列棚４０８Ａ，４０８Ｂを備えており、前記支持台４０２の上面も陳列棚４０８Ｃとして商品４１０の陳列に利用される。前記陳列棚４０８Ａ〜４０８Ｃは、背面４０６から手前側に向けて低くなるように若干傾斜しており、陳列棚４０８Ａ〜４０８Ｃの手前の商品が取り出されると、奥側（ストックヤード）の商品が手前に滑る構成となっている。前記照明装置２０は、前記上面４０４と、陳列棚４０８Ａ及び４０８Ｂの裏面手前側に設置されている。このうち、上面４０４には照明装置２０が直接取り付けられるが、陳列棚４０８Ａ及び４０８Ｂの裏面には、スペーサ４２０や４２２を介して取り付けられる。仮に、スペーサ４２０，４２２を設けないとすると、陳列棚４０８Ａ及び４０８Ｂに取り付けた照明装置２０は、それぞれ陳列棚４０８Ｂ及び４０８Ｃの中央部付近を照明してしまう。そこで、前記スペーサ４２０，４２２を設けることにより、陳列棚４０８Ａ及び４０８Ｂの裏面に対して、前記照明装置２０の固定ボードの主面を傾斜させ、陳列棚４０８Ｂ及び４０８Ｃの手前側を照明することができる。
【００４１】
なお、本発明は、上述した実施例に限定されるものではなく、本発明の要旨を逸脱しない範囲内において種々変更を加え得ることができる。例えば、以下のものも含まれる。
(1)前記実施例で示した形状，大きさは一例であり、同様の効果を奏するように適宜変更可能である。例えば、フレーム８０に対して照明ユニット３０の長さを短くし、ショーケース１０に固定したフレーム８０に、短い照明ユニット３０を複数装着してもよい。その場合、照明ユニット３０を連続的に取り付けずに、間欠的に配置してもよい。
(2)実施例１の導光板６８は透明であることが望ましいが、有色であることを妨げるものではない。他の実施例の導光体についても同様である。
(3)前記実施例１で示した拡散テープ７０も一例であり、光を散乱ないし拡散できるものであれば、どのような処理を施されたものであってもよい。
【００４２】
(4)光源としては前記ＬＥＤ５０Ａ〜５０Ｌ以外の他の光源，例えば、冷陰極管などを用いてもよいが、消費電力や温度の点を考慮すると、ＬＥＤが最も好適である。
(5)ＬＥＤ５０Ａ〜５０Ｌは、単色発光のものを利用してもよいし、多色発光のものを利用してもよい。
(6)前記実施例１で示したＬＥＤの数も一例であり、必要に応じて適宜増減してよい。
(7)前記実施例１で示した回路構成も一例であり、ＬＥＤ５０Ａ〜５０Ｌを並列接続するようにしてもよいし、ＬＥＤ５０Ａ〜５０Ｌを一つずつ直列に接続するようにしてもよい。
【００４３】
(8)前記実施例１や５で示した電極の引出構造も一例であり、同様の効果を奏するように、適宜設計変更可能である。例えば、前記実施例１では、前記フレーム８０側の電極パターン９２，９６の形成範囲も任意であり、帯状に形成してもよいし、フレーム８０の端部側や中央部などに部分的に設けるようにしてもよい。むろん、基板３２の裏面に設けた電極パターン６０も一例であり、帯状ではなく接続部４４と対応する大きさ程度に設けてもよい。しかしながら、前記電極パターン９２を帯状に形成することにより、短い照明ユニット３０を複数装着する場合に、装着位置を考慮せずに済むため好都合である。
(9)実施例１で示した板バネ８８Ａ，８８Ｂも一例であり、同様の効果を奏するものであれば、他の公知のバネ体を利用可能である。
【００４４】
(10)実施例１でショーケース１０に設けた照明装置２０の位置も一例であり、ショーケース１０の形状や大きさによって適宜変更してよい。また、照明装置２０を複数設置してもよい。実施例８についても同様である。
(11)前記実施例１では、長尺の照明装置２０に本発明を適用することとしたが、図２(B)や図６(B)に示す例のように、１つのフレームに複数の照明ユニット２０を平行に配置して、パネル状の照明装置として利用してもよい。
【００４５】
(12)実施例７で示した導光体の形状も一例であり、同様の効果を奏するように適宜変更してよい。
(13)実施例１及び５で示した固定ボードに対する照明ユニットの装着機構も一例であり、同様の効果を奏するように適宜設計変更可能である。
(14)実施例６で示した中間ソケット２７０による照明ユニットの連結も一例であり、前記照明ユニット同士を直接連結可能な構造とするなど、同様の効果を奏するものであれば、公知の各種の連結機構が適用可能である。
【００４６】
(15)実施例８では、スペーサ４２０，４２２を利用して陳列棚４０８Ｂ，４０８Ｃの手前側を利用することとしたが、図１０(E)に示す導光体３４０や、図１０(F)に示す導光体３５０のように、光の射出側が、光の入射方向に対して屈曲ないし屈折した構造の導光体を用いることにより、前記スペーサ４２０や４２２を用いることなく、傾斜した棚の手前側を照らすことができる。あるいは、固定ボードとして、一方の縁部と他方の縁部の厚みが異なるように予め設定することによっても、前記実施例８と同様の効果が得られる。
【産業上の利用可能性】
【００４７】
本発明によれば、ショーケースに固定される導電性の固定ボードに対し、導電性を有する基板の一方の主面上の絶縁シートに光源が配置された照明ユニットを、保持手段によって着脱可能に保持する。そして、前記光源の一方の端子を引き出して前記基板に接続し、前記照明ユニットを固定ボードに装着したときに、導通手段によって前記基板と固定ボードを導通させる。更に、前記光源の他方の端子を前記基板との絶縁をはかりながら、該基板を貫通させて他方の主面側に引き出し、前記固定ボードの主面上に絶縁手段を介して設けられた電極部と接続することで、固定ボードにのみ給電する構造としたので、ショーケース用の照明装置の用途に適用できる。特に、前記フレームに照明ユニットを簡単に装着可能であり、その際に、配線の向きを考慮する必要がないことから、長尺の照明装置の用途に好適である。
【符号の説明】
【００４８】
１０：ショーケース
１２：支持台
１４：上面
１６：カバー
１８：陳列板
２０，２０Ａ：照明装置
３０，３０Ａ，３０Ｂ：照明ユニット
３２：基板
３４：絶縁シート
３６Ａ〜３６Ｈ，３６Ａ´〜３６Ｈ´，３８，４０：電極パターン
４２，４４：接続部
４６：給電部
４８：パターン
５０Ａ〜５０Ｌ：ＬＥＤ（発光ダイオード）
５２：抵抗
５４：電源
５６：スイッチ
５８：絶縁シート
６０：電極パターン
６２：貫通孔
６２Ａ：絶縁体
６４：配線
６６：スペーサ
６８，６８Ａ，６８Ｂ：導光板
７０：拡散テープ
７２：ネジ
８０：フレーム
８２：固定ボード
８４Ａ，８４Ｂ：把持部（ないし保持部）
８５Ａ，８５Ｂ：側面
８６：収納部
８８Ａ，８８Ｂ：板バネ
８９：接触部
９０，９４：絶縁シート
９２，９６：電極パターン
９８：貫通孔
９８Ａ：絶縁体
９９：配線
１００：フレーム
１０２：固定ボード
１０４Ａ〜１０４Ｃ：把持部
１０６Ａ，１０６Ｂ：収納部
１０８Ａ〜１０８Ｄ：側面
１１０Ａ，１１０Ｂ，１１２Ａ，１１２Ｂ：磁石
１５０：フレーム
１５２：固定ボード
１５４Ａ，１５４Ｂ：把持部
１５６：収納部
１５８：フィン
１６０：電源ボックス
２００：フレーム
２０２：固定ボード
２０４Ａ，２０４Ｂ，２０８Ａ，２０８Ｂ，２１２Ａ，２１２Ｂ：把持部
２０６，２１０，２１４：収納部
２１６：フィン
２５０：照明装置
２５１：固定ボード
２５２，２５６：磁石
２５４Ａ，２５４Ｂ，２５８Ａ，２５８Ｂ：電極パターン
２５９：バネ
２６０：照明装置
２６２，２６４：ピン
２７０：中間ソケット
２７２，２７４：嵌合部
３００，３１０，３２０，３３０，３４０，３５０：導光体
３０２，３１２Ａ，３１２Ｂ，３４４，３５４：曲面部
３０４，３１４Ａ，３１４Ｂ，３２６Ａ，３２６Ｂ，３３６Ａ，３３６Ｂ：拡散部
３２２：溝
３２４Ａ，３２４Ｂ，３３４Ａ，３３４Ｂ：斜面
３３２：凸部
３４２：屈曲部
３５２：屈折部
４００：ショーケース
４０２：支持台
４０４：上面
４０６：背面
４０８Ａ，４０８Ｂ，４０８Ｃ：陳列棚
４１０：商品
４２０，４２２：スペーサ
【図１】
2010268899.tif 000003
【図２】
2010268899.tif 000004
【図３】
2010268899.tif 000005
【図４】
2010268899.tif 000006
【図５】
2010268899.tif 000007
【図６】
2010268899.tif 000008
【図７】
2010268899.tif 000009
【図８】
2010268899.tif 000010
【図９】
2010268899.tif 000011
【図１０】
2010268899.tif 000012
【図１１】
2010268899.tif 000013